(57)【要約】      （修正有）【課題】組織の個々の構成員がどのような目標を設定し、他の構成員がリアルタイムで把握することが容易に行うことができるシステムを提供する。【解決手段】ソーシャルネットワーキングサービス提供システムは、サーバ１０において、複数の端末３０−１〜３０−４と、ユーザの識別情報とユーザの名前が異なる場合にユーザの識別情報とユーザの名前が対応付けられて記憶されている記憶部と、端末を介して入力された投稿を受け付け、記憶部に記憶する投稿受付部と、記憶部に記憶された投稿に基づいて、投稿を含む投稿コンテンツを表示するための投稿コンテンツ情報を生成する投稿コンテンツ生成部と、複数の端末の少なくとも一部に投稿コンテンツ情報を配信する投稿コンテンツ情報配信部と、配信された投稿表示情報に基づいて、端末の表示画面上に、投稿コンテンツを表示する投稿コンテンツ表示部とを備える。【選択図】図１
2018028734.tif 000002
【特許請求の範囲】
【請求項１】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記第１のユーザにより端末を介して入力された、前記ゴールに関連するアクションを示す情報を、該アクションを示す情報が画像情報及びテキスト情報を含んでいることを条件として受け付け、前記ゴールを示す情報と関連付けて前記記憶部に記憶するアクション受付部と、
前記第１のユーザにより端末を介して入力された、前記ゴールに関連するアクション、該アクションに関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、及び前記ゴールに関連する前記アクションを示す情報に基づいて、アクション毎に生成するアクションコンテンツ情報生成部と、
前記複数の端末の少なくとも一部に前記アクションコンテンツ情報を配信するアクションコンテンツ情報配信部と、
配信された前記アクションコンテンツ情報に基づいて、前記端末の表示画面上に、前記アクションコンテンツを表示するアクションコンテンツ表示部と、
端末を介して入力された投稿を受け付け、前記記憶部に記憶する投稿受付部と、
前記記憶部に記憶された投稿に基づいて、前記投稿を含む投稿コンテンツを表示するための投稿コンテンツ情報を生成する投稿コンテンツ生成部と、
前記複数の端末の少なくとも一部に前記投稿コンテンツ情報を配信する投稿コンテンツ情報配信部と、
配信された前記投稿表示情報に基づいて、前記端末の表示画面上に、前記投稿コンテンツを表示する投稿コンテンツ表示部と、
を備えるソーシャルネットワーキングサービス提供システム。
【請求項２】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力される、前記ゴールに関連するアクションを、前記第１のユーザの場合と同様に受け付け可能とするゴール参加受付部を更に備える請求項１に記載のソーシャルネットワーキングサービス提供システム。
【請求項３】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記ゴールに関連する達成要素を示す情報を受け付け、前記ゴールを示す情報と対応付けて前記記憶部に記憶する達成要素受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するアクションコンテンツ情報生成部と、
前記複数の端末の少なくとも一部に前記アクションコンテンツ情報を配信するアクションコンテンツ情報配信部と、
配信された前記アクションコンテンツ情報に基づいて、前記端末の表示画面上に、前記アクションコンテンツを表示するアクションコンテンツ表示部と、
端末を介して入力された投稿を受け付け、前記記憶部に記憶する投稿受付部と、
前記記憶部に記憶された投稿に基づいて、前記投稿を含む投稿コンテンツを表示するための投稿コンテンツ情報を生成する投稿コンテンツ生成部と、
前記複数の端末の少なくとも一部に前記投稿コンテンツ情報を配信する投稿コンテンツ情報配信部と、
配信された前記投稿表示情報に基づいて、前記端末の表示画面上に、前記投稿コンテンツを表示する投稿コンテンツ表示部と、
を備えるソーシャルネットワーキングサービス提供システム。
【請求項４】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力される、前記ゴールに関連する達成要素及び該達成要素に関連するアクションを、前記第１のユーザの場合と同様に受け付け可能とするゴール参加受付部を更に備える請求項３に記載のソーシャルネットワーキングサービス提供システム。
【請求項５】
コーチユーザにより端末を介して入力された、前記ゴールを評価対象とするか否かについての情報を受け付け、前記ゴールを示す情報と対応付けて前記記憶部に記憶する評価対象決定部を更に備える請求項１〜４のいずれか１項に記載のソーシャルネットワーキングサービス提供システム。
【請求項６】
評価対象とされた前記ゴールに対して、前記ゴールを目標とする前記第１のユーザにより入力された自己評価情報を受け付け、前記ゴールを目標とする前記第１のユーザの識別情報と対応付けて前記記憶部に記憶する自己評価受付部と、
前記自己評価情報を受け付け前記記憶部に記憶したことを条件として、評価者ユーザにより入力された前記第１のユーザに対する評価情報を受け付け、前記ゴールを目標とする前記第１のユーザの識別情報と対応付けて前記記憶部に記憶する評価者評価受付部と、
を更に含む請求項５に記載のソーシャルネットワーキングサービス提供システム。
【請求項７】
端末からの要求に応じて、前記記憶部に記憶された前記達成要素及び前記アクションを示す情報を、該端末に表示する請求項１〜６のいずれか１項に記載のソーシャルネットワーキングサービス提供システム。
【請求項８】
前記アクションコンテンツ情報はニュースフィードであり、前記アクションコンテンツは端末の表示画面のニュースフィード表示領域に表示される請求項１〜７のいずれか１項に記載のソーシャルネットワーキングサービ提供スシステム。
【請求項９】
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記ゴールに関連するアクション、該アクションに関連する前記前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、及び前記ゴールに関連する前記アクションを示す情報に基づいて、アクション毎に生成するアクションコンテンツ情報生成部と、
前記複数の端末の少なくとも一部に前記アクションコンテンツ情報を配信するアクションコンテンツ情報配信部と、
端末を介して入力された投稿を受け付け、前記記憶部に記憶する投稿受付部と、
前記記憶部に記憶された投稿に基づいて、前記投稿を含む投稿コンテンツを表示するための投稿コンテンツ情報を生成する投稿コンテンツ生成部と
前記複数の端末の少なくとも一部に前記投稿コンテンツ情報を配信する投稿コンテンツ情報配信部と、
を備えるソーシャルネットワーキングサービス提供サーバ。
【請求項１０】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記ゴールに関連する達成要素を示す情報を受け付け、前記ゴールを示す情報と対応付けて前記記憶部に記憶する達成要素受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するアクションコンテンツ情報生成部と、
前記複数の端末の少なくとも一部に前記アクションコンテンツ情報を配信するアクションコンテンツ情報配信部と、
端末を介して入力された投稿を受け付け、前記記憶部に記憶する投稿受付部と、
前記記憶部に記憶された投稿に基づいて、前記投稿を含む投稿コンテンツを表示するための投稿コンテンツ情報を生成する投稿コンテンツ生成部と
前記複数の端末の少なくとも一部に前記投稿コンテンツ情報を配信する投稿コンテンツ情報配信部と、
を備えるソーシャルネットワーキングサービス提供サーバ。
【請求項１１】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記第１のユーザにより端末を介して入力された、前記ゴールに関連するアクションを示す情報を、前記アクションを示す情報が画像情報及びテキスト情報を含んでいることを条件として受け付け、前記ゴールを示す情報と関連付けて前記記憶部に記憶するステップと、
前記第１のユーザにより端末を介して入力された、前記ゴールに関連するアクション、該アクションに関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、及び前記ゴールに関連する前記アクションを示す情報に基づいて、アクション毎に生成するステップと、
前記複数の端末の少なくとも一部に前記アクションコンテンツ情報を配信するステップと、
配信された前記アクションコンテンツ情報に基づいて、前記端末の表示画面上に、アクションコンテンツを表示するステップと、
端末を介して入力された投稿情報を受け付け、前記記憶部に記憶するステップと、
前記記憶部に記憶された投稿情報に基づいて、前記投稿情報を含む投稿コンテンツを表示するための投稿コンテンツ情報を生成するステップと
前記複数の端末の少なくとも一部に前記投稿コンテンツ情報を配信するステップと、
配信された前記投稿表示情報に基づいて、前記端末の表示画面上に、投稿コンテンツを表示するステップと、
を含むソーシャルネットワーキングサービス提供方法。
【請求項１２】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力された、前記ゴールに関連するアクションを示す情報を、前記第１のユーザの場合と同様に受け付け可能とするステップを更に含む請求項１１に記載のソーシャルネットワーキングサービス提供方法。
【請求項１３】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記ゴールに関連する達成要素を示す情報を受け付け、前記ゴールを示す情報と対応付けて前記記憶部に記憶するステップと、
前記第１のユーザにより端末を介して入力された、前記達成要素に関連するアクションを示す情報を、前記アクションを示す情報が画像情報及びテキスト情報を含んでいることを条件として受け付け、前記達成要素を示す情報と関連付けて前記記憶部に記憶するステップと、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するステップと、
前記複数の端末の少なくとも一部に前記アクションコンテンツ情報を配信するステップと、
配信された前記アクションコンテンツ情報に基づいて、前記端末の表示画面上に、アクションコンテンツを表示するステップと、
端末を介して入力された投稿情報を受け付け、前記記憶部に記憶するステップと、
前記記憶部に記憶された投稿情報に基づいて、前記投稿情報を含む投稿コンテンツを表示するための投稿コンテンツ情報を生成するステップと
前記複数の端末の少なくとも一部に前記投稿コンテンツ情報を配信するステップと、
配信された前記投稿表示情報に基づいて、前記端末の表示画面上に、投稿コンテンツを表示するステップと、
を含むソーシャルネットワーキングサービス提供方法。
【請求項１４】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力された、前記ゴールに関連する達成要素を示す情報及び該達成要素に関連するアクションを示す情報を、前記第１のユーザの場合と同様に受け付け可能とするステップを更に含む請求項１３に記載のソーシャルネットワーキングサービス提供方法。
【請求項１５】
コーチユーザにより端末を介して入力された、前記ゴールを評価対象とするか否かについての情報を受け付け、前記ゴールと対応付けて前記記憶部に記憶するステップを更に含む請求項１１〜１４のいずれか１項に記載のソーシャルネットワーキングサービス提供方法。
【請求項１６】
評価対象とされた前記ゴールに対して、前記ゴールを目標とする前記第１のユーザにより入力された自己評価情報を受け付け、前記ゴールを目標とする前記第１のユーザの識別情報と対応付けて前記記憶部に記憶するステップと、
その後、評価者ユーザにより入力された前記第１のユーザに対する評価情報を受け付け、前記ゴールを目標とする前記第１のユーザの識別情報と対応付けて前記記憶部に記憶するステップと、
を更に含む請求項１５に記載のソーシャルネットワーキングサービス提供方法。
【請求項１７】
端末からの要求に応じて、前記記憶部に記憶された前記達成要素及び前記アクションを示す情報を、該端末に表示するステップを更に含む請求項１１〜１６のいずれか１項に記載のソーシャルネットワーキングサービス提供方法。
【請求項１８】
前記アクションコンテンツ情報はニュースフィードであり、前記アクションコンテンツは端末の表示画面のニュースフィード表示領域に表示される請求項１１〜１７のいずれか１項に記載のソーシャルネットワーキングサービス提供方法。
【請求項１９】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記第１のユーザにより端末を介して入力された、前記ゴールに関連するアクションを示す情報を、前記アクションを示す情報が画像情報及びテキスト情報を含んでいることを条件として受け付け、前記ゴールを示す情報と関連付けて前記記憶部に記憶するステップと、
前記第１のユーザにより端末を介して入力された、前記ゴールに関連するアクション、該アクションに関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、及び前記ゴールに関連する前記アクションを示す情報に基づいて、アクション毎に生成するステップと、
前記複数の端末の少なくとも一部に前記アクションコンテンツ情報を配信するステップと、
端末を介して入力された投稿情報を受け付け、前記記憶部に記憶するステップと、
前記記憶部に記憶された投稿情報に基づいて、前記投稿情報を含む投稿コンテンツを表示するための投稿コンテンツ情報を生成するステップと
前記複数の端末の少なくとも一部に前記投稿コンテンツ情報を配信するステップと、
を含むソーシャルネットワーキングサービス提供方法。
【請求項２０】
コンピュータによって実行される、複数の端末により利用されるソーシャルネットワーキングサービス提供方法であって、
ゴールを示す情報と前記ゴールを目標とする（一又はそれ以上の）第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記ゴールに関連する達成要素を示す情報を受け付け、前記ゴールを示す情報と対応付けて前記記憶部に記憶するステップと、
前記第１のユーザにより端末を介して入力された、前記達成要素に関連するアクションを示す情報を、前記アクションを示す情報が画像情報及びテキスト情報を含んでいることを条件として受け付け、前記達成要素を示す情報と関連付けて前記記憶部に記憶するステップと、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するステップと、
前記複数の端末の少なくとも一部に前記アクションコンテンツ情報を配信するステップと、
端末を介して入力された投稿情報を受け付け、前記記憶部に記憶するステップと、
前記記憶部に記憶された投稿情報に基づいて、前記投稿情報を含む投稿コンテンツを表示するための投稿コンテンツ情報を生成するステップと
前記複数の端末の少なくとも一部に前記投稿コンテンツ情報を配信するステップと、
を含むソーシャルネットワーキングサービス提供方法。
【請求項２１】
請求項１１〜２０に記載の方法をコンピュータに実行させるためのプログラム。
【請求項２２】
前記２１に記載のプログラムを記録した記録媒体。
【発明の詳細な説明】
【技術分野】
【０００１】
本発明は、ソーシャルネットワーキングサービスを提供するためのシステム、方法、プログラム、及びプログラムを記録した記憶媒体に関する。
【背景技術】
【０００２】
従来、会社等の組織において、その構成員の目標を設定し、その達成度や評価等の管理を行うための目標管理システムが知られている（例えば、特許文献１参照）。
【先行技術文献】
【特許文献】
【０００３】
【特許文献１】特開２００６−２３５７０６号公報
【発明の概要】
【発明が解決しようとする課題】
【０００４】
しかしながら、従来の目標管理システムにおいては、個々の構成員がどのような目標を設定し、そのためにどのような行動をとっているのかを、他の構成員がリアルタイムで把握することが容易にできなかった。
【０００５】
そこで、本発明は、組織の個々の構成員がどのような目標を設定し、そのためにどのような行動をとっているのかを、他の構成員がリアルタイムで把握することが容易に行うことができるシステム、方法、プログラム、及びプログラムを記録した記録媒体を提供することを目的の１つとする。
【課題を解決するための手段】
【０００６】
本発明の１つの態様は、複数の端末と、ユーザの識別情報とユーザの名前が異なる場合に前記ユーザの識別情報と前記ユーザの名前が対応付けられて記憶されている記憶部と、ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、前記第１のユーザにより端末を介して入力された、前記ゴールに関連するアクションを示す情報を、該アクションを示す情報が画像情報及びテキスト情報を含んでいることを条件として受け付け、前記ゴールを示す情報と関連付けて前記記憶部に記憶するアクション受付部と、前記第１のユーザにより端末を介して入力された、前記ゴールに関連するアクション、該アクションに関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、及び前記ゴールに関連する前記アクションを示す情報に基づいて、アクション毎に生成するアクションコンテンツ情報生成部と、前記複数の端末の少なくとも一部に前記アクションコンテンツ情報を配信するアクションコンテンツ情報配信部と、配信された前記アクションコンテンツ情報に基づいて、前記端末の表示画面上に、前記アクションコンテンツを表示するアクションコンテンツ表示部と、端末を介して入力された投稿を受け付け、前記記憶部に記憶する投稿受付部と、前記記憶部に記憶された投稿に基づいて、前記投稿を含む投稿コンテンツを表示するための投稿コンテンツ情報を生成する投稿コンテンツ生成部と、前記複数の端末の少なくとも一部に前記投稿コンテンツ情報を配信する投稿コンテンツ情報配信部と、配信された前記投稿表示情報に基づいて、前記端末の表示画面上に、前記投稿コンテンツを表示する投稿コンテンツ表示部とを備えるソーシャルネットワーキングサービス提供システムを提供するものである。
【０００７】
前記ソーシャルネットワーキングサービス提供システムは、前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力される、前記ゴールに関連するアクションを、前記第１のユーザの場合と同様に受け付け可能とするゴール参加受付部を更に備えるものとすることができる。
【０００８】
本発明の１つの態様は、複数の端末と、ユーザの識別情報とユーザの名前が異なる場合に前記ユーザの識別情報と前記ユーザの名前が対応付けられて記憶されている記憶部と、ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、前記ゴールに関連する達成要素を示す情報を受け付け、前記ゴールを示す情報と対応付けて前記記憶部に記憶する達成要素受付部と、前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するアクションコンテンツ情報生成部と、前記複数の端末の少なくとも一部に前記アクションコンテンツ情報を配信するアクションコンテンツ情報配信部と、配信された前記アクションコンテンツ情報に基づいて、前記端末の表示画面上に、前記アクションコンテンツを表示するアクションコンテンツ表示部と、端末を介して入力された投稿を受け付け、前記記憶部に記憶する投稿受付部と、前記記憶部に記憶された投稿に基づいて、前記投稿を含む投稿コンテンツを表示するための投稿コンテンツ情報を生成する投稿コンテンツ生成部と、前記複数の端末の少なくとも一部に前記投稿コンテンツ情報を配信する投稿コンテンツ情報配信部と、配信された前記投稿表示情報に基づいて、前記端末の表示画面上に、前記投稿コンテンツを表示する投稿コンテンツ表示部とを備えるソーシャルネットワーキングサービス提供システムを提供するものである。
【０００９】
前記ソーシャルネットワーキングサービス提供システムは、前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力される、前記ゴールに関連する達成要素及び該達成要素に関連するアクションを、前記第１のユーザの場合と同様に受け付け可能とするゴール参加受付部を更に備えるものとすることができる。
【００１０】
前記ソーシャルネットワーキングサービス提供システムは、コーチユーザにより端末を介して入力された、前記ゴールを評価対象とするか否かについての情報を受け付け、前記ゴールを示す情報と対応付けて前記記憶部に記憶する評価対象決定部を更に備えるものとすることができる。
【００１１】
前記ソーシャルネットワーキングサービス提供システムは、評価対象とされた前記ゴールに対して、前記ゴールを目標とする前記第１のユーザにより入力された自己評価情報を受け付け、前記ゴールを目標とする前記第１のユーザの識別情報と対応付けて前記記憶部に記憶する自己評価受付部と、前記自己評価情報を受け付け前記記憶部に記憶したことを条件として、評価者ユーザにより入力された前記第１のユーザに対する評価情報を受け付け、前記ゴールを目標とする前記第１のユーザの識別情報と対応付けて前記記憶部に記憶する評価者評価受付部とを更に含むものとすることができる。
【００１２】
端末からの要求に応じて、前記記憶部に記憶された前記達成要素及び前記アクションを示す情報を、該端末に表示するものとすることができる。
【００１３】
前記アクションコンテンツ情報はニュースフィードであり、前記アクションコンテンツは端末の表示画面のニュースフィード表示領域に表示されるものとすることができる。
【００１４】
本発明の１つの態様は、ユーザの識別情報とユーザの名前が異なる場合に前記ユーザの識別情報と前記ユーザの名前が対応付けられて記憶されている記憶部と、ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、前記第１のユーザにより端末を介して入力された、前記ゴールに関連するアクション、該アクションに関連する前記前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、及び前記ゴールに関連する前記アクションを示す情報に基づいて、アクション毎に生成するアクションコンテンツ情報生成部と、前記複数の端末の少なくとも一部に前記アクションコンテンツ情報を配信するアクションコンテンツ情報配信部と、端末を介して入力された投稿を受け付け、前記記憶部に記憶する投稿受付部と、前記記憶部に記憶された投稿に基づいて、前記投稿を含む投稿コンテンツを表示するための投稿コンテンツ情報を生成する投稿コンテンツ生成部と、前記複数の端末の少なくとも一部に前記投稿コンテンツ情報を配信する投稿コンテンツ情報配信部とを備えるソーシャルネットワーキングサービス提供サーバを提供するものである。
【００１５】
本発明の１つの態様は、複数の端末と、ユーザの識別情報とユーザの名前が異なる場合に前記ユーザの識別情報と前記ユーザの名前が対応付けられて記憶されている記憶部と、ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、前記ゴールに関連する達成要素を示す情報を受け付け、前記ゴールを示す情報と対応付けて前記記憶部に記憶する達成要素受付部と、前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するアクションコンテンツ情報生成部と、前記複数の端末の少なくとも一部に前記アクションコンテンツ情報を配信するアクションコンテンツ情報配信部と、端末を介して入力された投稿を受け付け、前記記憶部に記憶する投稿受付部と、前記記憶部に記憶された投稿に基づいて、前記投稿を含む投稿コンテンツを表示するための投稿コンテンツ情報を生成する投稿コンテンツ生成部と、前記複数の端末の少なくとも一宇ｂに前記投稿コンテンツ情報を配信する投稿コンテンツ情報配信部とを備えるソーシャルネットワーキングサービス提供サーバを提供するものである。
【００１６】
本発明の１つの態様は、コンピュータによって実行される、複数の端末により利用されるソーシャルネットワーキングサービス提供方法であって、ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、前記第１のユーザにより端末を介して入力された、前記ゴールに関連するアクションを示す情報を、前記アクションを示す情報が画像情報及びテキスト情報を含んでいることを条件として受け付け、前記ゴールを示す情報と関連付けて前記記憶部に記憶するステップと、前記第１のユーザにより端末を介して入力された、前記ゴールに関連するアクション、該アクションに関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、及び前記ゴールに関連する前記アクションを示す情報に基づいて、アクション毎に生成するステップと、前記複数の端末の少なくとも一部に前記アクションコンテンツ情報を配信するステップと、配信された前記アクションコンテンツ情報に基づいて、前記端末の表示画面上に、アクションコンテンツを表示するステップと、端末を介して入力された投稿情報を受け付け、前記記憶部に記憶するステップと、前記記憶部に記憶された投稿情報に基づいて、前記投稿情報を含む投稿コンテンツを表示するための投稿コンテンツ情報を生成するステップと、前記複数の端末の少なくとも一部に前記投稿コンテンツ情報を配信するステップと、配信された前記投稿表示情報に基づいて、前記端末の表示画面上に、投稿コンテンツを表示するステップとを含むソーシャルネットワーキングサービス提供方法を提供するものである。
【００１７】
前記ソーシャルネットワーキングサービス提供方法は、前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力された、前記ゴールに関連するアクションを示す情報を、前記第１のユーザの場合と同様に受け付け可能とするステップを更に含むものとすることができる。
【００１８】
本発明の１つの態様は、コンピュータによって実行される、複数の端末により利用されるソーシャルネットワーキングサービス提供方法であって、ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、前記ゴールに関連する達成要素を示す情報を受け付け、前記ゴールを示す情報と対応付けて前記記憶部に記憶するステップと、前記第１のユーザにより端末を介して入力された、前記達成要素に関連するアクションを示す情報を、前記アクションを示す情報が画像情報及びテキスト情報を含んでいることを条件として受け付け、前記達成要素を示す情報と関連付けて前記記憶部に記憶するステップと、前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するステップと、前記複数の端末の少なくとも一部に前記アクションコンテンツ情報を配信するステップと、配信された前記アクションコンテンツ情報に基づいて、前記端末の表示画面上に、アクションコンテンツを表示するステップと、端末を介して入力された投稿情報を受け付け、前記記憶部に記憶するステップと、前記記憶部に記憶された投稿情報に基づいて、前記投稿情報を含む投稿コンテンツを表示するための投稿コンテンツ情報を生成するステップと、前記複数の端末の少なくとも一部に前記投稿コンテンツ情報を配信するステップと、配信された前記投稿表示情報に基づいて、前記端末の表示画面上に、投稿コンテンツを表示するステップとを含むソーシャルネットワーキングサービス提供方法を提供するものである。
【００１９】
前記ソーシャルネットワーキングサービス提供方法は、前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力された、前記ゴールに関連する達成要素を示す情報及び該達成要素に関連するアクションを示す情報を、前記第１のユーザの場合と同様に受け付け可能とするステップを更に含むものとすることができる。
【００２０】
前記ソーシャルネットワーキングサービス提供方法は、コーチユーザにより端末を介して入力された、前記ゴールを評価対象とするか否かについての情報を受け付け、前記ゴールと対応付けて前記記憶部に記憶するステップを更に含むものとすることができる。
【００２１】
前記ソーシャルネットワーキングサービス提供方法は、評価対象とされた前記ゴールに対して、前記ゴールを目標とする前記第１のユーザにより入力された自己評価情報を受け付け、前記ゴールを目標とする前記第１のユーザの識別情報と対応付けて前記記憶部に記憶するステップと、その後、評価者ユーザにより入力された前記第１のユーザに対する評価情報を受け付け、前記ゴールを目標とする前記第１のユーザの識別情報と対応付けて前記記憶部に記憶するステップとを更に含むものとすることができる。
【００２２】
前記ソーシャルネットワーキングサービス提供方法は、端末からの要求に応じて、前記記憶部に記憶された前記達成要素及び前記アクションを示す情報を、該端末に表示するステップを更に含むものとすることができる。
【００２３】
前記アクションコンテンツ情報はニュースフィードであり、前記アクションコンテンツは端末の表示画面のニュースフィード表示領域に表示されるものとすることができる。
【００２４】
本発明の１つの態様は、コンピュータによって実行される、複数の端末により利用されるソーシャルネットワーキングサービス提供方法であって、ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、前記第１のユーザにより端末を介して入力された、前記ゴールに関連するアクションを示す情報を、前記アクションを示す情報が画像情報及びテキスト情報を含んでいることを条件として受け付け、前記ゴールを示す情報と関連付けて前記記憶部に記憶するステップと、前記第１のユーザにより端末を介して入力された、前記ゴールに関連するアクション、該アクションに関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、及び前記ゴールに関連する前記アクションを示す情報に基づいて、アクション毎に生成するステップと、前記複数の端末の少なくとも一部に前記アクションコンテンツ情報を配信するステップと、端末を介して入力された投稿情報を受け付け、前記記憶部に記憶するステップと、前記記憶部に記憶された投稿情報に基づいて、前記投稿情報を含む投稿コンテンツを表示するための投稿コンテンツ情報を生成するステップと、前記複数の端末の少なくとも一部に前記投稿コンテンツ情報を配信するステップとを含むソーシャルネットワーキングサービス提供方法を提供するものである。
【００２５】
本発明の１つの態様は、コンピュータによって実行される、複数の端末により利用されるソーシャルネットワーキングサービス提供方法であって、ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、前記ゴールに関連する達成要素を示す情報を受け付け、前記ゴールを示す情報と対応付けて前記記憶部に記憶するステップと、前記第１のユーザにより端末を介して入力された、前記達成要素に関連するアクションを示す情報を、前記アクションを示す情報が画像情報及びテキスト情報を含んでいることを条件として受け付け、前記達成要素を示す情報と関連付けて前記記憶部に記憶するステップと、前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションコンテンツ情報を、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するステップと、前記複数の端末の少なくとも一部に前記アクションコンテンツ情報を配信するステップと、端末を介して入力された投稿情報を受け付け、前記記憶部に記憶するステップと、前記記憶部に記憶された投稿情報に基づいて、前記投稿情報を含む投稿コンテンツを表示するための投稿コンテンツ情報を生成するステップと、前記複数の端末の少なくとも一部に前記投稿コンテンツ情報を配信するステップとを含むソーシャルネットワーキングサービス提供方法を提供するものである。
【００２６】
本発明の１つの態様は、前記ソーシャルネットワーキングサービス提供方法をコンピュータに実行させるためのプログラムを提供するものである。
【００２７】
本発明の１つの態様は、前記プログラムを記録したコンピュータ読み取り可能な記録媒体を提供するものである。
【００２８】
本明細書及び特許請求の範囲において、「サーバ」は、１つ又はそれ以上のサーバを意味し、複数のサーバにより構成されるものも含む。
【００２９】
本明細書及び特許請求の範囲において、「第１の情報と第２の情報を対応付けて記憶する」とは、第１の情報と第２の情報を直接対応付けて記憶することのみならず、第３の情報を介して間接的に対応付けて記憶することも含む。
【発明の効果】
【００３０】
上記構成を有する本発明によれば、組織の個々の構成員がどのような目標を設定し、そのためにどのような行動をとっているのかを、他の構成員がリアルタイムで把握することを容易に行うことができる。更に、行動についての文章だけでなく、行動に関する画像と目標も併せて他の構成員の端末に表示されるので、その行動がどのような行動であるかをより直感的に把握し、またその行動と目標との関係を理解することができる。
【図面の簡単な説明】
【００３１】
【図１】本発明の１つの実施形態に係るソーシャルネットワーキングサービス提供システムの全体構成を示す図である。
【図２】本発明の１つの実施形態に係るサーバのハードウエア構成図の例を示す図である。
【図３】ゴール設定前のあるユーザのホーム画面の一例を示す図である。
【図４】ゴール設定処理の一例のフローチャートである。
【図５ａ】ゴールを設定する際に表示される画面の一例を示す図である。
【図５ｂ】ゴールを設定する際に表示される画面の一例を示す図である。
【図６】ゴール設定完了後のホーム画面の一例を示す図である
【図７】達成要素設定処理の一例のフローチャートである。
【図８】達成要素設定画面の一例を示す図である。
【図９】達成要素設定完了後のホーム画面の一例を示す図である。
【図１０】アクション登録・配信処理の一例のフローチャートである。
【図１１ａ】アクション登録画面の一例を示す図である。
【図１１ｂ】アクション登録画面の一例を示す図である。
【図１２】アクション登録完了後のユーザＵ１のホーム画面の一例を示す図である。
【図１３】アクション登録完了後の他のユーザＵ２のホーム画面の一例を示す図である。
【図１４】コラボレーション処理の一例のフローチャートである。
【図１５】ゴール参加登録画面の一例を示す図である
【図１６】ゴール参加登録完了後のホーム画面の一例を示す図である。
【図１７】投稿登録・配信処理の一例のフローチャートである。
【図１８】投稿モード画面の一例を示す図である。
【図１９】投稿アップロード完了後の他のユーザＵ２の投稿モード画面の一例を示す図である。
【図２０】コーチユーザのホーム画面の一例を示す図である。
【図２１ａ】評価処理の一例のフローチャートである。
【図２１ｂ】評価処理の一例のフローチャートである。
【図２２】ゴール認定画面の一例を示す図である。
【図２３】ゴール認定完了後のホーム画面の一例を示す図である。
【図２４ａ】自己評価を入力する際に表示される画面の一例を示す図である。
【図２４ｂ】自己評価を入力する際に表示される画面の一例を示す図である。
【図２４ｃ】自己評価を入力する際に表示される画面の一例を示す図である。
【図２５】評価者ユーザのホーム画面の一例を示す図である。
【図２６ａ】評価者評価を入力する際に表示される画面の一例を示す図である。
【図２６ｂ】評価者評価を入力する際に表示される画面の一例を示す図である。
【図２６ｃ】評価者評価を入力する際に表示される画面の一例を示す図である。
【発明を実施するための形態】
【００３２】
以下、本発明の実施形態について図面を参照して説明する。
【００３３】
図１は、本発明の１つの実施形態に係るソーシャルネットワーキングサービス提供システムの全体構成を示す図である。ソーシャルネットワーキングサービス提供システム１は、サーバ１０と複数の端末３０（３０−１、３０−２、３０−３、３０−４、・・・）を備え、サーバ１０と各端末３０は、ネットワーク２０を介して接続されている。
【００３４】
サーバ１０は、記憶部１０１、ゴール受付部１０３、達成要素受付部１０５、アクション受付部１０７、アクションコンテンツ情報生成部１０８、アクションコンテンツ情報配信部１０９、投稿受付部１１０、投稿コンテンツ情報生成部１１１、投稿コンテンツ情報配信部１１２、ゴール参加受付部１１３、評価対象決定部１１５、自己評価受付部１１７、評価者評価受付部１１９を備える。
【００３５】
端末３０は、アクションコンテンツ表示部３０１、投稿コンテンツ表示部３０３を備える。端末３０としては、ＰＣ、スマートフォン、タブレット端末等を用いることができる。
【００３６】
記憶部１０１は、各種の情報を記憶し、また必要に応じてそれらを対応付けて記憶する。
【００３７】
ゴール受付部１０３は、サーバ１０や端末３０等を介して入力されたゴールを示す情報と前記ゴールを目標とする第１のユーザの識別情報を受け付け、前記ゴールを示す情報と前記ゴールを目標とする第１のユーザの識別情報を対応付けて記憶部１０１に記憶する。
【００３８】
達成要素受付部１０５は、サーバ１０や端末３０等を介して入力された、前記ゴールに関連する、ゴールをブレークダウンした達成要素を示す情報を受け付け、前記ゴールを示す情報と対応付けて記憶部１０１に記憶する。
【００３９】
アクション受付部１０７は、前記第１のユーザにより端末３０を介して入力された、前記達成要素に関連するアクションを示す情報を、該アクションを示す情報が画像情報及びテキスト情報を含んでいることを条件として受け付け、前記達成要素を示す情報と関連付けて記憶部１０１に記憶する。ここで、画像情報としては、静止画像、動画像、静止画像と動画像の組合せ等を用いることができる。
【００４０】
アクションコンテンツ情報生成部１０８は、前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するための、アクションニュースフィード等のアクションコンテンツ情報を、記憶部１０１に記憶された前記ゴールを示す情報、前記ゴールを目標とする前記第１のユーザの識別情報、前記ゴールに関連する前記達成要素を示す情報、及び前記達成要素に関連する、前記アクションについての文章や前記アクションに関連する画像を含む前記アクションを示す情報に基づいて、アクション毎に生成する。
【００４１】
アクションコンテンツ情報配信部１０９は、複数の端末３０の少なくとも一部に前記アクションコンテンツ情報を配信する。
【００４２】
アクションコンテンツ表示部３０１は、配信されたアクションコンテンツ情報に基づいて、端末３０の表示画面上に、アクションコンテンツを表示する。
【００４３】
ここで、達成要素は、ゴールをブレークダウンしたものであるので、達成要素受付部１０５を省略し、ゴールに対して直接アクションを登録する構成としてもよい。
【００４４】
投稿受付部１１０は、端末３０を介して入力された投稿を受け付け、記憶部１０１に記憶する。
【００４５】
投稿コンテンツ情報生成部１１１は、記憶部１０１に記憶された投稿に基づいて、前記投稿を含む投稿コンテンツを表示するための、投稿ニュースフィード等の投稿コンテンツ情報を生成する。
【００４６】
投稿コンテンツ情報配信部１１２は、複数の端末３０の少なくとも一部に投稿コンテンツ情報を配信する。
【００４７】
投稿コンテンツ表示部３０３は、配信された投稿表示情報に基づいて、端末３０の表示画面上に、投稿コンテンツを表示する。
【００４８】
ゴール参加受付部１１３は、前記第１のユーザ以外の第２のユーザにより端末を介して入力された、前記ゴールに対する参加要求を受け付け、前記ゴールを示す情報と前記第２のユーザの識別情報を対応付けて記憶部１０１に記憶すると共に、前記第２のユーザにより端末を介して入力される、前記ゴールに関連する達成要素及び該達成要素に関連するアクションを、前記第１のユーザの場合と同様に受け付け可能とする。
【００４９】
評価対象決定部１１５は、コーチユーザＵＣにより端末３０を介して入力された、前記ゴールを評価対象とするか否かについての情報を受け付け、前記ゴールを示す情報と対応付けて記憶部１０１に記憶する。
【００５０】
自己評価受付部１１７は、評価対象とされた前記ゴールに対して、前記ゴールを目標とする前記第１のユーザにより入力された自己評価情報を受け付け、前記ゴールを目標とする前記第１のユーザの識別情報と対応付けて記憶部１０１に記憶する。
【００５１】
評価者評価受付部１１９は、自己評価受付部１１７が前記自己評価情報を受け付け記憶部１０１に記憶した後、評価者ユーザにより入力された前記第１のユーザに対する評価情報を受け付け、前記ゴールを目標とする前記第１のユーザの識別情報と対応付けて記憶部１０１に記憶する。
【００５２】
図２は、本実施形態に係るサーバ１０のハードウエア構成の例を示す図である。サーバ１０は、ＣＰＵ１０ａ、ＲＡＭ１０ｂ、ＲＯＭ１０ｃ、外部メモリ１０ｄ、入力部１０ｅ、出力部１０ｆ、通信部１０ｇを含む。ＲＡＭ１０ｂ、ＲＯＭ１０ｃ、外部メモリ１０ｄ、入力部１０ｅ、出力部１０ｆ、通信部１０ｇは、システムバス１０ｈを介して、ＣＰＵ１０ａに接続されている。
【００５３】
ＣＰＵ１０ａは、システムバス１０ｈに接続される各デバイスを統括的に制御する。
【００５４】
ＲＯＭ１０ｃや外部メモリ１０ｄには、ＣＰＵ１０ａの制御プログラムであるＢＩＯＳやＯＳ、コンピュータが実行する機能を実現するために必要な各種プログラムやデータ等が記憶されている。
【００５５】
ＲＡＭ１０ｂは、ＣＰＵの主メモリや作業領域等として機能する。ＣＰＵ１０ａは、処理の実行に際して必要なプログラム等をＲＯＭ１０ｃや外部メモリ１０ｄからＲＡＭ１０ｂにロードして、ロードしたプログラムを実行することで各種動作を実現する。
【００５６】
外部メモリ１０ｄは、例えば、フラッシュメモリ、ハードディスク、ＤＶＤ−ＲＡＭ、ＵＳＢメモリ等から構成される。
【００５７】
入力部１０ｅは、ユーザ等からの操作指示等を受け付ける。入力部１０ｅは、例えば、入力ボタン、キーボード、ポインティングデバイス、マイクロフォン、カメラ等の入力デバイスから構成される。
【００５８】
出力部１０ｆは、ＣＰＵ１０ａで処理されるデータや、ＲＡＭ１０ｂ、ＲＯＭ１０ｃや外部メモリ１０ｄに記憶されるデータを出力する。出力部１０ｆは、例えば、ＣＲＴディスプレイ、ＬＣＤ、有機ＥＬパネル、プリンタ、スピーカ等の出力デバイスから構成される。
【００５９】
通信部１０ｇは、ネットワークを介して又は直接、外部機器と接続・通信するためのインタフェースである。通信部１０ｇは、例えばシリアルインタフェース、ＬＡＮインタフェース等のインタフェースから構成される。
【００６０】
端末３０のハードウエア構成も同様である。
【００６１】
図１に示されるサーバ１０の各部は、ＲＯＭ１０ｃや外部メモリ１０ｄに記憶された各種プログラムが、ＣＰＵ１０ａ、ＲＡＭ１０ｂ、ＲＯＭ１０ｃ、外部メモリ１０ｄ、入力部１０ｅ、出力部１０ｆ、通信部１０ｇ等を資源として使用することで実現される。また、端末３０の各部についても同様である。
【００６２】
以上のシステム構成を前提に、本発明の１つの実施形態に係るソーシャルネットワーキングサービス提供システムのソーシャルネットワーキングサービス提供処理の例を、図３〜２６ｃ等を参照して、以下に説明する。
【００６３】
＜サークルの作成＞
サークル管理者は、サーバ１０又は端末３０からの操作によって、会社等の組織の構成員の部分集合又は全体集合をサークルとして設定する。後述のアクションコンテンツは、設定されたサークルのメンバのみが閲覧可能であり、またメンバ全員に配信される。すなわち、組織の構成員の部分集合がサークルとして設定された場合は、その部分集合の構成員以外の構成員は、アクションコンテンツを閲覧することができない。また、組織の構成員の全体集合がサークルとして設定された場合は、組織の構成員全員が閲覧可能である。
【００６４】
＜ゴールの設定＞
ユーザＵ１が、端末３０−１に、本ソーシャルネットワーキングサービスのＩＤとパスワードを入力してログインすると、端末３０−１のディスプレイにユーザのホーム画面が表示される。
【００６５】
図３は、ゴール設定前のあるユーザＵ１のホーム画面４００ａの一例を示す図である。
【００６６】
４０１には、ユーザの名前とこれまでに登録されたアクションの数が表示される。
【００６７】
４０３には、ユーザＵ１の所属するサークルの一覧が表示される。
【００６８】
４０５には、入力可能なデータの種類を表示及び指定可能なタブメニューが表示される。「アクション」タブがタップにより選択されると、「アクション」タブの表示が濃くなり、画面がアクションモードとなる。そして、ゴールがまだ設定されていない場合はゴール設定ボタン４０６が、ゴールが既に設定されている場合は後述のアクション登録ボタン４１５が表示され、その下側に、ニュースフィード表示領域４０８が配置される。また、「投稿」がタップにより選択されると、「投稿」タブの表示が濃くなり、画面が投稿モードとなる。そして、後述の投稿テキスト入力フィールド４３１と投稿画像添付ボタン４３３が表示され、その下側にニュースフィード表示領域４０８が配置される。「メッセージ」がタップにより選択されると、「メッセージ」タブの表示が濃くなり、画面がメッセージモードとなる。そして、メッセージ入力フィールドが表示され、その下側にニュースフィード表示領域４０８が配置される。ニュースフィード表示領域４０８には、アクションコンテンツＡＣ及び投稿コンテンツＰＣ等のニュースフィードが表示される。ニュースフィード表示領域４０８には、後述のアクションコンテンツＡＣや投稿コンテンツＰＣ等のニュースフィードが表示される。このとき、アクションモードではアクションコンテンツのみを、投稿モードでは投稿コンテンツのみを表示する等、表示するコンテンツは任意に設定することができる。
【００６９】
４０６、４０９、４１２は、ゴール設定ボタンであり、ゴール設定ボタン４０６、ゴール設定ボタン４０９、ゴール設定ボタン４１２をタップすると、後で詳しく述べるようにゴールを設定するための画面が表示され、ゴールの設定を行うことができる。
【００７０】
４１１には、自分が設定したゴール等の自分がリーダーであるゴール及び達成要素が表示される。自分がリーダーであるゴールがまだない場合は、図３に示されるように、ゴール設定ボタン４１２が表示される。また、４１３には、他のユーザがリーダーであり自分がそれに参加するゴールである、自分がコラボレータとなるゴール及び達成要素が表示される。
【００７１】
図４は、ゴール設定処理の一例のフローチャートであり、図５ａ、５ｂは、ゴールを設定する際に表示される画面の一例を示す図である。
【００７２】
図３のゴール設定ボタン４０６、ゴール設定ボタン４０９、又はゴール設定ボタン４１２がタップされる（Ｓ２１）と、目的設定画面５００ａが表示される。５０１は、目的入力フィールドであり、５０３はゴール設定画面へ進むためのボタン５０３である。ユーザＵ１は、目的入力フィールド５０１に目的を入力し、ボタン５０３をタップする（Ｓ２２）。
【００７３】
ボタン５０３のタップにより、ゴール設定画面５００ｂが表示される。５０４には、設定された目的が表示される。５０５はゴール入力フィールドである。ユーザは、目的設定画面５００ａで入力した目的をブレークダウンしたゴールＧ１をゴール入力フィールド５０５に入力する（Ｓ２３）。５０９、５１１はそれぞれゴールに対する目標の程度及び現在の程度を入力するための、ゴール達成時程度入力フィールド、開始時程度入力フィールドであり、５０７はその程度の単位を設定するための程度単位入力フィールドである。また、５１３、５１５はそれぞれゴール達成期限日とゴール達成のための行動開始日を入力するためのゴール達成期限日入力フィールド、開始日入力フィールドである。５１７は、後で詳しく述べる評価の期間を入力するための評価期間入力フィールドである。ユーザは、ゴール達成時程度入力フィールド５０９、開始時程度入力フィールド５１１、程度単位入力フィールド５０７、ゴール達成期限日入力フィールド５１３、開始日入力フィールド５１５、評価期間入力フィールド５１７に、それぞれに対応するデータを入力する（Ｓ２４）。そして、ユーザＵ１によりゴール確定ボタン５１９がタップされる（Ｓ２５）とゴールの設定が完了し、ユーザＵ１の識別情報、入力されたゴールＧ１、ゴールに対する目標の程度及び現在の程度、その程度の単位、ゴール達成期限日、ゴール達成のための行動開始日、評価期間が、端末３０−１からサーバ１０に送信される（Ｓ２６）。サーバ１０のゴール受付部１０３は、受信した各情報とユーザＵ１の識別情報を対応付けて記憶部１０１に記憶する（Ｓ２７）。そして、サーバ１０は、記憶部１０１に記憶された各情報に基づいてホーム画面を表示するための情報を端末３０−１に送信する。
【００７４】
ゴールの設定は、後述のコーチユーザ等の他のユーザが行うこともできる。
【００７５】
図６は、ゴール設定完了後のホーム画面４００ｂの一例を示す図である。４１１に、設定されたゴールＧ１が表示され、その下に設定されたゴールＧ１に関連する達成要素を設定するための達成要素追加ボタン４１１ａが表示され、その右に後述のゴール認定ステータス４１１ｂが表示される。
【００７６】
＜達成要素の設定＞
図７は、達成要素設定処理の一例のフローチャートであり、図８は、達成要素設定画面の一例を示す図である。
【００７７】
図６の達成要素追加ボタン４１１ａがタップされる（Ｓ３１）と、達成要素設定画面６００が表示される。６０１には、設定されたゴールＧ１、ゴールに対する目標の程度及び現在の程度、ゴールＧ１のゴール達成期限日とゴール達成のための行動開始日が表示される。６０３は達成要素入力フィールドである。ユーザは、ゴール設定画面５００ｂで入力したゴールをブレークダウンした達成要素ＡＥを達成要素入力フィールド６０３に入力する（Ｓ３２）。６０７、６０９はそれぞれ達成要素に対する目標の程度及び現在の程度を入力するための、達成要素達成時程度入力フィールド、開始時程度入力フィールドであり、６０５はその程度の単位を設定するための程度単位入力フィールドである。また、６１１は、達成要素達成期限日を入力するための達成要素達成期限日入力フィールドである。ユーザは、達成要素達成時程度入力フィールド６０７、開始時程度入力フィールド６０９、程度単位入力フィールド６０５、達成要素達成期限日入力フィールド６１１に、それぞれに対応するデータを入力する（Ｓ３３）。そして、ユーザＵ１により達成要素確定ボタン６１７がタップされる（Ｓ３４）と達成要素の設定が完了し、ユーザＵ１の識別情報、入力された達成要素ＡＥ、達成要素ＡＥに対する目標の程度及び現在の程度、その程度の単位、達成要素達成期限日が、端末３０−１からサーバ１０に送信される（Ｓ３５）。サーバ１０の達成要素受付部１０５は、受信した各情報と設定されたゴールＧ１を対応付けて記憶部１０１に記憶する（Ｓ３６）。そして、サーバ１０は、記憶部１０１に記憶された各情報に基づいてホーム画面を表示するための情報を端末３０−１に送信する。
【００７８】
達成要素の設定は、後述のコーチユーザ等の他のユーザが行うこともできる。
【００７９】
図９は、達成要素設定完了後のホーム画面の一例を示す図である。４１１に、設定されたゴールＧ１の下に設定された達成要素ＡＥが表示され、その右にアクション登録ボタン４１１ｃが表示される。設定された達成要素ＡＥの下には達成要素追加ボタン４１１ａが表示され、上記と同様に、この達成要素追加ボタン４１１ａをタップすることにより、設定されたゴールＧ１に関連する別の達成要素を追加して設定することができる。
【００８０】
＜アクションの登録・配信＞
図１０は、アクションの登録・配信処理の一例のフローチャートであり、図１１ａ、１１ｂは、アクションを登録する際に表示される画面の一例を示す図である。
【００８１】
図９のアクション登録ボタン４１１ｃがタップされると、アクション画像登録画面７００ａが表示される。ユーザＵ１によりアクション画像登録ボタン７０１がタップされる（Ｓ４１）と、図示しないフォルダ一覧画面が表示され、ユーザは、達成要素設定画面６００で設定した達成要素を達成するために行った具体的なアクションに関連する画像（アクション画像）ＡＩのファイルを、表示されたフォルダ一覧から選択し、アップロードボタンをタップする（Ｓ４２）。アクション画像のアップロードは、図９のアクション登録ボタン４１５をタップすることによっても同様に行うことができる。このアップロードボタンがタップされると、アクション画像ＡＩは端末３０からサーバ１０に送信され（Ｓ４３）、サーバ１０のアクション受付部１０７は、受信したアクション画像ＡＩと達成要素ＡＥを対応付けて記憶部１０１に記憶する（Ｓ４４）。
【００８２】
次いで、サーバ１０が、記憶部１０１に記憶された各情報に基づいてアクションテキスト登録画面を表示するための情報を端末３０−１に送信すると、アクションテキスト登録画面７００ｂが表示される。７０５には、設定されたゴールＧ１が表示され、７０７には、設定された達成要素ＡＥが表示される。７０３には、アクションテキスト入力フィールド７０３が表示され、その左には、ステップＳ４２でアップロードされたアクション画像ＡＩが表示される。ユーザは、達成要素設定画面６００で設定した達成要素を達成するために行った具体的なアクションについての文章（アクションテキスト）ＡＴをアクションテキスト入力フィールド７０３に入力する（Ｓ４５）。そして、ユーザＵ１によりアクション確定ボタン７０９がタップされる（Ｓ４６）とアクションの登録が完了し、アクションテキストＡＴが、端末３０−１からサーバ１０に送信される（Ｓ４７）。サーバ１０のアクション受付部１０７は、受信したアクションテキストＡＴと登録されたアクション画像ＡＩを対応付けて記憶部１０１に記憶する（Ｓ４８）。
【００８３】
このように、本実施形態においては、アクションに関連する画像の入力が行われないと、アクションについての文章を入力する画面に遷移しない構成を採用することにより、アクションに関連する画像なしのアクションを示す情報を受け付けないようにしている。このような構成に換えて、他の適切な任意の構成を用いることができる。例えば、アクション画像とアクションテキストを同一の画面で入力可能であるが、アクション画像が入力されないのに登録完了ボタンがタップされた場合は、次のステップに進まない構成とすることができる。
【００８４】
次いで、サーバ１０のアクションコンテンツ情報生成部１０９は、記憶部１０１に記憶された各情報に基づいて、アクション画像ＡＩ、アクションテキストＡＴ、達成要素ＡＥ、ゴールＧ１、及びユーザＵ１の名前を含むアクションコンテンツＡＣを表示するためのアクションコンテンツ情報であるアクションニュースフィードを生成する（Ｓ４９）。そして、サーバ１０は、アクションコンテンツ配信要求である次画面要求を端末３０−１から受信する（Ｓ５０）と、生成されたアクションニュースフィードと記憶部１０１に記憶された各情報に基づいてホーム画面を表示するための情報を端末３０−１に送信する（Ｓ５１）。すなわち、アクションコンテンツ情報であるアクションニュースフィードが端末３０−１に配信される。端末３０−１は、受信された、生成されたアクションニュースフィードを含むホーム画面を表示するための情報に基づいてアクションコンテンツＡＣを含むホーム画面を表示する（Ｓ５２）。
【００８５】
図１２は、アクション登録完了後のユーザＵ１のホーム画面４００ｄの一例を示す図である。ニュースフィード表示領域４０８に、アクションコンテンツＡＣが表示される。アクションコンテンツＡＣは、アクション画像ＡＩ及びアクションテキストＡＴ、アクションＡに関連する達成要素ＡＥ、達成要素ＡＥに関連するゴールＧ１、アクションＡを登録したユーザＵ１の名前Ｕ１Ｎを含んでいる。４０１に表示されたアクションの数は、アクションの登録によって、０から１に変化している。
【００８６】
一方、サーバ１０は、生成されたアクションコンテンツ情報と記憶部１０１に記憶された各情報に基づいてホーム画面を表示するための情報を、同じサークルに所属する他のすべてのユーザの端末に送信する。例として、同じサークルに所属する他のユーザの１人であるユーザＵ２を例にとって具体的に説明すると、アクションコンテンツ配信要求であるアクションニュースフィード更新要求を、他のユーザＵ２がログインしている端末３０−２から受信する（Ｓ５３）と、生成されたアクションニュースフィードと記憶部１０１に記憶された各情報に基づいてホーム画面を表示するための情報を端末３０−２に送信する（Ｓ５４）。すなわち、アクションコンテンツ情報であるアクションニュースフィードが端末３０−２に配信される。端末３０−２は、受信された、生成されたアクションニュースフィードを含むホーム画面を表示するための情報に基づいてアクションコンテンツＡＣ’を含むホーム画面を表示する（Ｓ５５）。
【００８７】
図１３は、アクション登録完了後の他のユーザＵ２のホーム画面４００’ｄの一例を示す図である。コンテンツ表示領域４０７’に、図１２と同様のアクションコンテンツＡＣ’が表示される。アクションコンテンツＡＣ’は、アクション画像ＡＩ及びアクションテキストＡＴ、アクションＡに関連する達成要素ＡＥ、達成要素ＡＥに関連するゴールＧ１、アクションＡを登録したユーザの名前Ｕ１Ｎを含んでいる。
【００８８】
達成要素は、ゴールをブレークダウンしたものであるので、達成要素の設定をすることなく、ゴールに対して直接アクションを登録する構成としてもよい。
【００８９】
＜コラボレーション＞
ゴールを設定したユーザ以外のユーザもそのゴールに参加すること（コラボレーション）ができる。図１４は、ゴール参加登録処理の一例のフローチャートであり、図１５は、ゴール参加登録画面８００の一例を示す図である。
【００９０】
ホーム画面におけるゴールボタン４０２がユーザＵ２によりタップされる（Ｓ６１）と、他のユーザが設定したゴールの一覧が８０１に表示される。ユーザＵ２により、この一覧のゴールの中から所望のゴールＧ１がタップにより選択され、ゴール参加登録ボタン８０３がタップされる（Ｓ６２）と、ゴール参加登録が完了し、ユーザＵ１の識別情報、選択されたゴールＧ１が、端末３０−２からサーバ１０に送信される（Ｓ６３）。サーバ１０のゴール参加受付部１１３は、受信した選択されたゴールＧ１とユーザＵ２の識別情報を対応付けて記憶部１０１に記憶すると共に、以降ユーザＵ２が、選択されたゴールＧ１について、達成要素を設定し、アクションを登録することを許可する（Ｓ６４）。サーバ１０は、記憶部１０１に記憶された各情報に基づいてホーム画面を表示するための情報を端末３０−２に送信する。
【００９１】
図１６は、ゴール参加登録完了後のホーム画面４００ｅの一例を示す図である。４１３には、自分がコラボレータとなる、ユーザＵ１により設定されたゴールＧ１が表示され、上記と同様にして、このゴールＧ２に対する達成要素の設定及びアクションの登録を行うことができる。
【００９２】
＜投稿＞
ユーザは、アクションとは別に、通常のソーシャルネットワーキングサービスのように、他のユーザに向けてコンテンツを投稿することができる。
【００９３】
図１７は、投稿の登録・配信処理の一例のフローチャートであり、図１８は、ユーザＵ１の投稿モードのホーム画面４００ｆの一例を示す図である。
【００９４】
図なの投稿タブ４０５ｂがタップされる（Ｓ７１）と、投稿モード画面が表示される。４３１は、投稿テキスト入力フィールドである。４３３は、投稿画像添付ボタンである。４３５は、投稿アップロードボタンである。ユーザＵ１は、投稿テキスト入力フィールド４３１に投稿テキストＰＴを入力する（Ｓ７２）。投稿画像添付ボタン４３３をタップすることにより投稿テキストＰＴに投稿画像を添付することができるが、投稿画像は添付してもしなくてもよい。投稿アップロードボタン４３５がタップされる（Ｓ７３）と、投稿テキストＰＴ又は投稿テキストＰＴ及び投稿画像が、端末３０−１からサーバ１０に送信され（Ｓ７４）、サーバ１０の投稿受付部１０７は、受信した投稿テキストＰＴ又は投稿テキストＰＴ及び投稿画像を記憶部１０１に記憶する（Ｓ７５）。
【００９５】
次いで、サーバ１０の投稿コンテンツ情報生成部１１１は、記憶部１０１に記憶された各情報に基づいて、投稿テキストＰＴ又は投稿テキスト及び投稿画像を含む投稿コンテンツＰＣを表示するための投稿コンテンツ情報である投稿ニュースフィードを生成する（Ｓ７６）。そして、サーバ１０は、投稿コンテンツ配信要求である投稿ニュースフィード更新要求を、他のユーザＵ２がログインしている端末３０−２から受信する（Ｓ７７）と、生成された投稿ニュースフィードと記憶部１０１に記憶された各情報に基づいてホーム画面を表示するための情報を端末３０−２に送信する（Ｓ７８）。すなわち、投稿コンテンツ情報である投稿ニュースフィードが端末３０−２に配信される。端末３０−２は、受信された、生成された投稿コンテンツニュースフィードを含むホーム画面を表示するための情報に基づいて投稿コンテンツＰＣを含むホーム画面を表示する（Ｓ７９）。
【００９６】
図１９は、投稿アップロード完了後の他のユーザＵ２の投稿モードのホーム画面４００'ｆの一例を示す図である。ニュースフィード表示領域４０８’に、投稿テキストＰＴを含む投稿コンテンツＰＣが表示される。
【００９７】
＜評価＞
設定されたゴールが評価の対象となるためには、ユーザの指導者として設定されたコーチユーザの認定が必要である。図２０は、コーチユーザＵＣがログインしている端末３０−３に表示されるホーム画面４００''の一例を示す図である。４１７は、ツールボタンであり、コーチユーザＵＣによりこのツールボタン４１７がタップされると、ツールの一覧がポップアップメニュー４１７ａとして表示される。
【００９８】
図２１ａ、２１ｂは、評価処理の一例のフローチャートであり、図２２は、アクションゴール認定画面の一例を示す図である。
【００９９】
図２０のポップアップメニュー４１７ａから「ゴール認定」がコーチユーザＵＣによりタップによって選択される（Ｓ９１）と、アクションゴール認定画面９００が表示される。９０１には、認定待ちのゴールＧ１が、そのゴールＧ１に関連する情報と共に表示される。９０３は評価対象ボタンであり、コーチユーザＵＣにより評価対象ボタン９０３がタップされるとゴールは評価対象とされる。９０５は非評価対象ボタンであり、コーチユーザＵＣにより非評価対象ボタン９０５がタップされるとゴールは評価対象とされない。コーチユーザＵＣにより評価対象ボタン９０３又は非評価対象ボタン９０５がタップされる（Ｓ９２）とゴール認定が完了し、ゴールＧ１を評価対象とするか否かについての情報が、コーチユーザＵＣがログインしている端末３０−３からサーバ１０に送信される（Ｓ９３）。サーバ１０の評価対象受付部１１５は、受信した評価対象とするか否かについての情報とゴールＧ１を対応付けて記憶部１０１に記憶する。そして、サーバ１０は、記憶部１０１に記憶された各情報に基づいてホーム画面を表示するための情報を端末３０７に送信する。
【０１００】
図２３は、ゴール認定完了後のユーザＵ１がログインしている端末に表示されるホーム画面４００ｇの一例を示す図である。ここでは、ゴールＧ１が評価対象とされたため、ゴール認定ステータス４１１ｂが「評価対象」に変更されている。ユーザによりこのツールボタン４１７がタップされると、ツールの一覧がポップアップメニュー４１７ａとして表示される。
【０１０１】
図２４ａ、２４ｂ、２４ｃは、自己評価を入力する際に表示される画面の一例を示す図である。
【０１０２】
図２３のポップアップメニュー４１７ａから「評価」がユーザＵ１によりタップによって選択される（Ｓ９４）と、評価対象一覧画面１０００ａが表示される。
【０１０３】
ユーザＵ１により自己評価が未完了の表示タイル１００１がタップされる（Ｓ９５）と、ゴール自己評価入力画面１０００ｂが表示される。１００３には、自己評価の対象のゴールＧ１が表示され、１００７には、ゴールＧ１に関する情報が表示される。１００５には、今期の成果と登録アクションの数が表示される。
【０１０４】
１００９、１０１１はそれぞれゴールＧ１に対する自己評価コメントと自己評価スコアを入力するための、ゴール自己評価コメント入力フィールド、ゴール自己評価スコア入力フィールドである。ユーザＵ１は、ゴール自己評価コメント入力フィールド１００９、ゴール自己評価スコア入力フィールド１０１１に、それぞれに対応するデータを入力する（Ｓ９６）。そして、ユーザＵ１によりゴール自己評価確定ボタン１０１３がタップされる（Ｓ９７）とゴール自己評価の入力が完了し、ユーザＵ１の識別情報、ゴール自己評価コメントＧＥＣＳ、及びゴール自己評価スコアＧＥＳＳが、端末３０−１からサーバ１０に送信される（Ｓ９８）。サーバ１０の自己評価受付部１１７は、受信した各情報とユーザＵ１の識別情報を対応付けて記憶部１０１に記憶する（Ｓ９９）。
【０１０５】
次いで、サーバ１０が、記憶部１０１に記憶された各情報に基づいてトータル自己評価入力画面を表示するための情報を端末３０に送信すると、端末３０−１は、トータル自己評価入力画面１０００ｃを表示する。１０１５、１０１７はそれぞれトータル評価に対する自己評価コメント（トータル自己評価コメント）と自己評価スコア（トータル評価者評価スコア）を入力するための、トータル自己評価コメント入力フィールド、トータル自己評価スコア入力フィールドである。ユーザは、トータル自己評価コメント入力フィールド１０１５、トータル自己評価スコア入力フィールド１０１７に、それぞれに対応するデータを入力する（Ｓ１００）。そして、ユーザＵ１によりトータル自己評価確定ボタン１０１９がタップされる（Ｓ１０１）とトータル自己評価の入力が完了し、ユーザＵ１の識別情報、トータル自己評価コメントＴＥＣＳ、及びトータル自己評価スコアＴＥＳＳが、端末３０−１からサーバ１０に送信される（Ｓ１０２）。サーバ１０の自己評価受付部１１７は、受信した各情報とユーザＵ１の識別情報を対応付けて記憶部１０１に記憶すると共に、記憶部１０１に記憶された評価者ユーザの評価待ちリストにユーザＵ１を追加する（Ｓ１０３）。
【０１０６】
図２５は、評価者ユーザＵＥがログインしている端末３０−４に表示されるホーム画面４００'''の一例を示す図である。４１７は、ツールボタンであり、評価者ユーザＵＥによりこのツールボタン４１７がタップされると、ツールの一覧がポップアップメニュー４１７ａとして表示される。
【０１０７】
図２６ａ、２６ｂ、２６ｃは、評価者評価を入力する際に表示される画面の一例を示す図である。
【０１０８】
図２５のポップアップメニュー４１７ａから「評価」が評価者ユーザＵＥにより選択される（Ｓ１０４）と、評価対象一覧画面１１００ａが表示される。１１０１には、自己評価が未完了であれば、自己評価が未完了の表示タイルが表示される。１１０３には、評価者としての評価が未完了の他のユーザがタイルで表示される。
【０１０９】
評価者ユーザＵＥにより、評価が未完了の他の１人のユーザＵ１のタイル１１０３ａがタップによって選択される（Ｓ１０５）と、ゴール評価者評価入力画面１１００ｂが表示される。１１０５には、評価対象ユーザＵ１のゴールＧ１が表示され、１１０７、１１０９、１１１１、１１１３には、評価対象ユーザＵ１のゴールＧ１に関する情報が表示される。１１０７には、評価対象ユーザの今期の成果と登録アクションの数が表示される。１１０７の登録アクションの数の表示１１０７ａをタップすると、モーダルウィンドウ(子ウィンドウ)が開き、登録されたアクションをニュースフィード表示領域４０８における表示と同様の表示で閲覧することができる。１１１１、１１１３には、評価対象ユーザＵＥにより入力されたゴール自己評価コメントＧＥＣＳ、ゴール自己評価スコアＧＥＳＳがそれぞれ表示される。
【０１１０】
１１１５、１１１７はそれぞれ評価対象ユーザＵ１のゴールＧ１に対する評価者評価コメント、評価者評価スコアを入力するための、ゴール評価者評価コメント入力フィールド、ゴール評価者評価スコア入力フィールドである。評価者ユーザＵＥは、ゴール評価者評価コメント入力フィールド１１１５、ゴール評価者評価スコア入力フィールド１１１７に、それぞれに対応するデータを入力する（Ｓ１０６）。そして、評価者ユーザＵＥによりゴール評価者価確定ボタン１１１９がタップされる（Ｓ１０７）とゴール評価者評価の入力が完了し、評価対象ユーザＵ１の識別情報、ゴール評価者評価コメントＧＥＣＥ、及びゴール評価者評価スコアＧＥＳＥが、端末３０−４からサーバ１０に送信される（Ｓ１０８）。サーバ１０の評価者評価受付部１１９は、受信した各情報と評価対象ユーザＵ１の識別情報を対応付けて記憶部１０１に記憶する（Ｓ１０９）。
【０１１１】
次いで、サーバ１０が、記憶部１０１に記憶された各情報に基づいてトータル評価者評価入力画面を表示するための情報を端末３０−４に送信すると、端末３０−４は、トータル評価者評価入力画面１１００ｃを表示する。１１２１、１１２３には、評価対象ユーザにより入力されたトータル自己評価コメントＴＥＣＳ、トータル自己評価スコアＴＥＳＳがそれぞれ表示される。１１２５、１１２７はそれぞれトータル評価に対する評価者評価コメント（トータル評価者評価コメント）と評価者評価スコア（トータル評価者評価スコア）を入力するための、トータル評価者評価コメント入力フィールド、トータル評価者評価スコア入力フィールドである。評価者ユーザＵＥは、トータル評価者評価コメント入力フィールド１１２５、トータル評価者評価スコア入力フィールド１１２７に、それぞれに対応するデータを入力する（Ｓ１１０）。そして、評価者ユーザＵＥによりトータル評価者評価確定ボタン１１２９がタップされる（Ｓ１１１）とトータル自己評価の入力が完了し、評価対象ユーザＵ１の識別情報、トータル評価者評価コメントＴＥＣＥ、及びトータル評価者評価スコアＴＥＳＥが、端末３１１からサーバ１０に送信される（Ｓ１１２）。サーバ１０の評価者評価受付部１１９は、受信した各情報とユーザＵ１の識別情報を対応付けて記憶部１０１に記憶する（Ｓ１１３）。
【０１１２】
上記実施形態は、第１のユーザによる自己評価が行われたことを条件として、評価者ユーザによる第１のユーザに対する評価を行うものであったが、これに替えて、第１のユーザによる自己評価及び評価者ユーザによる第１のユーザに対する評価のいずれかのみを行う構成、又はそのように設定することが可能な構成としてもよい。
【０１１３】
本実施形態によれば、組織の個々の構成員がどのような目標や達成要素を設定し、そのためにどのような行動をとっているのかを、他の構成員がリアルタイムで把握することを容易に行うことができる。更に、行動についての文章だけでなく、行動に関する画像と目標も併せて他の構成員の端末に表示されるので、その行動がどのような行動であるかをより直感的に把握し、またその行動と目標との関係を理解することができる。また、行動に関する文章と画像は、同じサークルに所属する他の構成員すべてに配信されるので、評価の透明性に資する。
【０１１４】
以上、本発明について、例示のためにいくつかの実施形態に関して説明してきたが、本発明はこれに限定されるものでなく、本発明の範囲及び精神から逸脱することなく、形態及び詳細について、様々な変形及び修正を行うことができることは、当業者に明らかであろう。
【符号の説明】
【０１１５】
１  ソーシャルネットワーキングサービス提供システム
１０  サーバ
１０１  記憶部
１０３  ゴール受付部
１０５  達成要素受付部
１０７  アクション受付部
１０８  アクションコンテンツ情報生成部
１０９  アクションコンテンツ情報配信部
１１０  投稿受付部
１１１  投稿コンテンツ情報生成部
１１２  投稿コンテンツ情報配信部
１１３  ゴール参加受付部
１１５  評価対象決定部
１１７  自己評価受付部
１１９  評価者評価受付部
２０  ネットワーク
３０，３０−１〜３０−４  端末
３０１  アクションコンテンツ表示部
３０３  投稿コンテンツ表示部
【図１】
2018028734.tif 000003
【図２】
2018028734.tif 000004
【図３】
2018028734.tif 000005
【図４】
2018028734.tif 000006
【図５ａ】
2018028734.tif 000007
【図５ｂ】
2018028734.tif 000008
【図６】
2018028734.tif 000009
【図７】
2018028734.tif 000010
【図８】
2018028734.tif 000011
【図９】
2018028734.tif 000012
【図１０】
2018028734.tif 000013
【図１１ａ】
2018028734.tif 000014
【図１１ｂ】
2018028734.tif 000015
【図１２】
2018028734.tif 000016
【図１３】
2018028734.tif 000017
【図１４】
2018028734.tif 000018
【図１５】
2018028734.tif 000019
【図１６】
2018028734.tif 000020
【図１７】
2018028734.tif 000021
【図１８】
2018028734.tif 000022
【図１９】
2018028734.tif 000023
【図２０】
2018028734.tif 000024
【図２１ａ】
2018028734.tif 000025
【図２１ｂ】
2018028734.tif 000026
【図２２】
2018028734.tif 000027
【図２３】
2018028734.tif 000028
【図２４ａ】
2018028734.tif 000029
【図２４ｂ】
2018028734.tif 000030
【図２４ｃ】
2018028734.tif 000031
【図２５】
2018028734.tif 000032
【図２６ａ】
2018028734.tif 000033
【図２６ｂ】
2018028734.tif 000034
【図２６ｃ】
2018028734.tif 000035
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記第１のユーザにより端末を介して入力された、前記ゴールに関連するアクションを示す情報を、該アクションを示す情報が画像情報及びテキスト情報を含んでいることを条件として受け付け、前記ゴールを示す情報と関連付けて前記記憶部に記憶するアクション受付部と、
前記第１のユーザにより端末を介して入力された、前記ゴールに関連するアクション、該アクションに関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、及び前記ゴールに関連する前記アクションを示す情報に基づいて、アクション毎に生成するアクションコンテンツ情報生成部と、
前記複数の端末の少なくとも一部に前記アクションニュースフィードを配信するアクションコンテンツ情報配信部と、
配信された前記アクションニュースフィードに基づいて、前記端末の表示画面のニュースフィード表示領域に、前記アクションコンテンツを表示するアクションコンテンツ表示部と、
端末を介して入力された投稿を受け付け、前記記憶部に記憶する投稿受付部と、
前記記憶部に記憶された投稿に基づいて、前記投稿を含む投稿コンテンツを表示するための投稿ニュースフィードを生成する投稿コンテンツ生成部と、
前記複数の端末の少なくとも一部に前記投稿ニュースフィードを配信する投稿コンテンツ情報配信部と、
配信された前記投稿表示情報に基づいて、前記端末の表示画面のニュースフィード表示領域に、前記投稿コンテンツを表示する投稿コンテンツ表示部と、
を備えるソーシャルネットワーキングサービス提供システム。
【請求項２】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力される、前記ゴールに関連するアクションを、前記第１のユーザの場合と同様に受け付け可能とするゴール参加受付部を更に備える請求項１に記載のソーシャルネットワーキングサービス提供システム。
【請求項３】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記ゴールに関連する達成要素を示す情報を受け付け、前記ゴールを示す情報と対応付けて前記記憶部に記憶する達成要素受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するアクションコンテンツ情報生成部と、
前記複数の端末の少なくとも一部に前記アクションニュースフィードを配信するアクションコンテンツ情報配信部と、
配信された前記アクションニュースフィードに基づいて、前記端末の表示画面のニュースフィード表示領域に、前記アクションコンテンツを表示するアクションコンテンツ表示部と、
端末を介して入力された投稿を受け付け、前記記憶部に記憶する投稿受付部と、
前記記憶部に記憶された投稿に基づいて、前記投稿を含む投稿コンテンツを表示するための投稿ニュースフィードを生成する投稿コンテンツ生成部と、
前記複数の端末の少なくとも一部に前記投稿ニュースフィードを配信する投稿コンテンツ情報配信部と、
配信された前記投稿表示情報に基づいて、前記端末の表示画面のニュースフィード表示領域に、前記投稿コンテンツを表示する投稿コンテンツ表示部と、
を備えるソーシャルネットワーキングサービス提供システム。
【請求項４】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力される、前記ゴールに関連する達成要素及び該達成要素に関連するアクションを、前記第１のユーザの場合と同様に受け付け可能とするゴール参加受付部を更に備える請求項３に記載のソーシャルネットワーキングサービス提供システム。
【請求項５】
コーチユーザにより端末を介して入力された、前記ゴールを評価対象とするか否かについての情報を受け付け、前記ゴールを示す情報と対応付けて前記記憶部に記憶する評価対象決定部を更に備える請求項１〜４のいずれか１項に記載のソーシャルネットワーキングサービス提供システム。
【請求項６】
評価対象とされた前記ゴールに対して、前記ゴールを目標とする前記第１のユーザにより入力された自己評価情報を受け付け、前記ゴールを目標とする前記第１のユーザの識別情報と対応付けて前記記憶部に記憶する自己評価受付部と、
前記自己評価情報を受け付け前記記憶部に記憶したことを条件として、評価者ユーザにより入力された前記第１のユーザに対する評価情報を受け付け、前記ゴールを目標とする前記第１のユーザの識別情報と対応付けて前記記憶部に記憶する評価者評価受付部と、
を更に含む請求項５に記載のソーシャルネットワーキングサービス提供システム。
【請求項７】
端末からの要求に応じて、前記記憶部に記憶された前記達成要素及び前記アクションを示す情報を、該端末に表示する請求項１〜６のいずれか１項に記載のソーシャルネットワーキングサービス提供システム。
【請求項８】
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記ゴールに関連するアクション、該アクションに関連する前記前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、及び前記ゴールに関連する前記アクションを示す情報に基づいて、アクション毎に生成するアクションコンテンツ情報生成部と、
前記複数の端末の少なくとも一部に前記アクションニュースフィードを配信するアクションコンテンツ情報配信部と、
端末を介して入力された投稿を受け付け、前記記憶部に記憶する投稿受付部と、
前記記憶部に記憶された投稿に基づいて、前記投稿を含む投稿コンテンツを表示するための投稿ニュースフィードを生成する投稿コンテンツ生成部と
前記複数の端末の少なくとも一部に前記投稿ニュースフィードを配信する投稿コンテンツ情報配信部と、
を備えるソーシャルネットワーキングサービス提供サーバ。
【請求項９】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記ゴールに関連する達成要素を示す情報を受け付け、前記ゴールを示す情報と対応付けて前記記憶部に記憶する達成要素受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するアクションコンテンツ情報生成部と、
前記複数の端末の少なくとも一部に前記アクションニュースフィードを配信するアクションコンテンツ情報配信部と、
端末を介して入力された投稿を受け付け、前記記憶部に記憶する投稿受付部と、
前記記憶部に記憶された投稿に基づいて、前記投稿を含む投稿コンテンツを表示するための投稿ニュースフィードを生成する投稿コンテンツ生成部と
前記複数の端末の少なくとも一部に前記投稿ニュースフィードを配信する投稿コンテンツ情報配信部と、
を備えるソーシャルネットワーキングサービス提供サーバ。
【請求項１０】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記第１のユーザにより端末を介して入力された、前記ゴールに関連するアクションを示す情報を、前記アクションを示す情報が画像情報及びテキスト情報を含んでいることを条件として受け付け、前記ゴールを示す情報と関連付けて前記記憶部に記憶するステップと、
前記第１のユーザにより端末を介して入力された、前記ゴールに関連するアクション、該アクションに関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、及び前記ゴールに関連する前記アクションを示す情報に基づいて、アクション毎に生成するステップと、
前記複数の端末の少なくとも一部に前記アクションニュースフィードを配信するステップと、
配信された前記アクションニュースフィードに基づいて、前記端末の表示画面上に、アクションコンテンツを表示するステップと、
端末を介して入力された投稿情報を受け付け、前記記憶部に記憶するステップと、
前記記憶部に記憶された投稿情報に基づいて、前記投稿情報を含む投稿コンテンツを表示するための投稿ニュースフィードを生成するステップと
前記複数の端末の少なくとも一部に前記投稿ニュースフィードを配信するステップと、
配信された前記投稿表示情報に基づいて、前記端末の表示画面のニュースフィード表示領域に、投稿コンテンツを表示するステップと、
を含むソーシャルネットワーキングサービス提供方法。
【請求項１１】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力された、前記ゴールに関連するアクションを示す情報を、前記第１のユーザの場合と同様に受け付け可能とするステップを更に含む請求項１０に記載のソーシャルネットワーキングサービス提供方法。
【請求項１２】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記ゴールに関連する達成要素を示す情報を受け付け、前記ゴールを示す情報と対応付けて前記記憶部に記憶するステップと、
前記第１のユーザにより端末を介して入力された、前記達成要素に関連するアクションを示す情報を、前記アクションを示す情報が画像情報及びテキスト情報を含んでいることを条件として受け付け、前記達成要素を示す情報と関連付けて前記記憶部に記憶するステップと、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するステップと、  前記複数の端末の少なくとも一部に前記アクションニュースフィードを配信するステップと、
配信された前記アクションニュースフィードに基づいて、前記端末の表示画面のニュースフィード表示領域に、アクションコンテンツを表示するステップと、
端末を介して入力された投稿情報を受け付け、前記記憶部に記憶するステップと、
前記記憶部に記憶された投稿情報に基づいて、前記投稿情報を含む投稿コンテンツを表示するための投稿ニュースフィードを生成するステップと
前記複数の端末の少なくとも一部に前記投稿ニュースフィードを配信するステップと、
配信された前記投稿表示情報に基づいて、前記端末の表示画面のニュースフィード表示領域に、投稿コンテンツを表示するステップと、
を含むソーシャルネットワーキングサービス提供方法。
【請求項１３】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力された、前記ゴールに関連する達成要素を示す情報及び該達成要素に関連するアクションを示す情報を、前記第１のユーザの場合と同様に受け付け可能とするステップを更に含む請求項１２に記載のソーシャルネットワーキングサービス提供方法。
【請求項１４】
コーチユーザにより端末を介して入力された、前記ゴールを評価対象とするか否かについての情報を受け付け、前記ゴールと対応付けて前記記憶部に記憶するステップを更に含む請求項１０〜１３のいずれか１項に記載のソーシャルネットワーキングサービス提供方法。
【請求項１５】
評価対象とされた前記ゴールに対して、前記ゴールを目標とする前記第１のユーザにより入力された自己評価情報を受け付け、前記ゴールを目標とする前記第１のユーザの識別情報と対応付けて前記記憶部に記憶するステップと、
その後、評価者ユーザにより入力された前記第１のユーザに対する評価情報を受け付け、前記ゴールを目標とする前記第１のユーザの識別情報と対応付けて前記記憶部に記憶するステップと、
を更に含む請求項１４に記載のソーシャルネットワーキングサービス提供方法。
【請求項１６】
端末からの要求に応じて、前記記憶部に記憶された前記達成要素及び前記アクションを示す情報を、該端末に表示するステップを更に含む請求項１０〜１５のいずれか１項に記載のソーシャルネットワーキングサービス提供方法。
【請求項１７】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記第１のユーザにより端末を介して入力された、前記ゴールに関連するアクションを示す情報を、前記アクションを示す情報が画像情報及びテキスト情報を含んでいることを条件として受け付け、前記ゴールを示す情報と関連付けて前記記憶部に記憶するステップと、
前記第１のユーザにより端末を介して入力された、前記ゴールに関連するアクション、該アクションに関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、及び前記ゴールに関連する前記アクションを示す情報に基づいて、アクション毎に生成するステップと、
前記複数の端末の少なくとも一部に前記アクションニュースフィードを配信するステップと、
端末を介して入力された投稿情報を受け付け、前記記憶部に記憶するステップと、
前記記憶部に記憶された投稿情報に基づいて、前記投稿情報を含む投稿コンテンツを表示するための投稿ニュースフィードを生成するステップと
前記複数の端末の少なくとも一部に前記投稿ニュースフィードを配信するステップと、
を含むソーシャルネットワーキングサービス提供方法。
【請求項１８】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記ゴールに関連する達成要素を示す情報を受け付け、前記ゴールを示す情報と対応付けて前記記憶部に記憶するステップと、
前記第１のユーザにより端末を介して入力された、前記達成要素に関連するアクションを示す情報を、前記アクションを示す情報が画像情報及びテキスト情報を含んでいることを条件として受け付け、前記達成要素を示す情報と関連付けて前記記憶部に記憶するステップと、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するステップと、  前記複数の端末の少なくとも一部に前記アクションニュースフィードを配信するステップと、
端末を介して入力された投稿情報を受け付け、前記記憶部に記憶するステップと、
前記記憶部に記憶された投稿情報に基づいて、前記投稿情報を含む投稿コンテンツを表示するための投稿ニュースフィードを生成するステップと
前記複数の端末の少なくとも一部に前記投稿ニュースフィードを配信するステップと、
を含むソーシャルネットワーキングサービス提供方法。
【請求項１９】
請求項１０〜１８に記載の方法をコンピュータに実行させるためのプログラム。
【請求項２０】
前記１９に記載のプログラムを記録した記録媒体。
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記第１のユーザにより端末を介して入力された、前記ゴールに関連するアクションを示す情報を、該アクションを示す情報が画像情報及びテキスト情報を含んでいることを条件として受け付け、前記ゴールを示す情報と関連付けて前記記憶部に記憶するアクション受付部と、
前記第１のユーザにより端末を介して入力された、前記ゴールに関連するアクション、該アクションに関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、及び前記ゴールに関連する前記アクションを示す情報に基づいて、アクション毎に生成するアクションコンテンツ情報生成部と、
前記複数の端末の少なくとも一部に前記アクションニュースフィードを配信するアクションコンテンツ情報配信部と、
配信された前記アクションニュースフィードに基づいて、前記端末の表示画面のニュースフィード表示領域に、前記アクションコンテンツを表示するアクションコンテンツ表示部と、
端末を介して入力された投稿を受け付け、前記記憶部に記憶する投稿受付部と、
前記記憶部に記憶された投稿に基づいて、前記投稿を含む投稿コンテンツを表示するための投稿ニュースフィードを生成する投稿コンテンツ生成部と、
前記複数の端末の少なくとも一部に前記投稿ニュースフィードを配信する投稿コンテンツ情報配信部と、
配信された前記投稿表示情報に基づいて、前記端末の表示画面のニュースフィード表示領域に、前記投稿コンテンツを表示する投稿コンテンツ表示部と、
を備えるソーシャルネットワーキングサービス提供システム。
【請求項２】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力される、前記ゴールに関連するアクションを、前記第１のユーザの場合と同様に受け付け可能とするゴール参加受付部を更に備える請求項１に記載のソーシャルネットワーキングサービス提供システム。
【請求項３】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記ゴールに関連する達成要素を示す情報を受け付け、前記ゴールを示す情報と対応付けて前記記憶部に記憶する達成要素受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するアクションコンテンツ情報生成部と、
前記複数の端末の少なくとも一部に前記アクションニュースフィードを配信するアクションコンテンツ情報配信部と、
配信された前記アクションニュースフィードに基づいて、前記端末の表示画面のニュースフィード表示領域に、前記アクションコンテンツを表示するアクションコンテンツ表示部と、
端末を介して入力された投稿を受け付け、前記記憶部に記憶する投稿受付部と、
前記記憶部に記憶された投稿に基づいて、前記投稿を含む投稿コンテンツを表示するための投稿ニュースフィードを生成する投稿コンテンツ生成部と、
前記複数の端末の少なくとも一部に前記投稿ニュースフィードを配信する投稿コンテンツ情報配信部と、
配信された前記投稿表示情報に基づいて、前記端末の表示画面のニュースフィード表示領域に、前記投稿コンテンツを表示する投稿コンテンツ表示部と、
を備えるソーシャルネットワーキングサービス提供システム。
【請求項４】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力される、前記ゴールに関連する達成要素及び該達成要素に関連するアクションを、前記第１のユーザの場合と同様に受け付け可能とするゴール参加受付部を更に備える請求項３に記載のソーシャルネットワーキングサービス提供システム。
【請求項５】
コーチユーザにより端末を介して入力された、前記ゴールを評価対象とするか否かについての情報を受け付け、前記ゴールを示す情報と対応付けて前記記憶部に記憶する評価対象決定部を更に備える請求項１〜４のいずれか１項に記載のソーシャルネットワーキングサービス提供システム。
【請求項６】
評価対象とされた前記ゴールに対して、前記ゴールを目標とする前記第１のユーザにより入力された自己評価情報を受け付け、前記ゴールを目標とする前記第１のユーザの識別情報と対応付けて前記記憶部に記憶する自己評価受付部と、
前記自己評価情報を受け付け前記記憶部に記憶したことを条件として、評価者ユーザにより入力された前記第１のユーザに対する評価情報を受け付け、前記ゴールを目標とする前記第１のユーザの識別情報と対応付けて前記記憶部に記憶する評価者評価受付部と、
を更に含む請求項５に記載のソーシャルネットワーキングサービス提供システム。
【請求項７】
端末からの要求に応じて、前記記憶部に記憶された前記達成要素及び前記アクションを示す情報を、該端末に表示する請求項１〜６のいずれか１項に記載のソーシャルネットワーキングサービス提供システム。
【請求項８】
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記ゴールに関連するアクション、該アクションに関連する前記前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、及び前記ゴールに関連する前記アクションを示す情報に基づいて、アクション毎に生成するアクションコンテンツ情報生成部と、
前記複数の端末の少なくとも一部に前記アクションニュースフィードを配信するアクションコンテンツ情報配信部と、
端末を介して入力された投稿を受け付け、前記記憶部に記憶する投稿受付部と、
前記記憶部に記憶された投稿に基づいて、前記投稿を含む投稿コンテンツを表示するための投稿ニュースフィードを生成する投稿コンテンツ生成部と
前記複数の端末の少なくとも一部に前記投稿ニュースフィードを配信する投稿コンテンツ情報配信部と、
を備えるソーシャルネットワーキングサービス提供サーバ。
【請求項９】
複数の端末と、
ユーザの識別情報とユーザの名前が異なる場合に前記ユーザの識別情報と前記ユーザの名前が対応付けられて記憶されている記憶部と、
ゴールを示す情報と前記ゴールを目標とする第１のユーザの識別情報を受け付け、前記ゴールを示す情報と前記ゴールを目標とする前記第１のユーザの識別情報を対応付けて前記記憶部に記憶するゴール受付部と、
前記ゴールに関連する達成要素を示す情報を受け付け、前記ゴールを示す情報と対応付けて前記記憶部に記憶する達成要素受付部と、
前記第１のユーザにより端末を介して入力された、前記達成要素に関連するアクションを示す情報を、該アクションを示す情報が画像情報及びテキスト情報を含んでいることを条件として受け付け、前記達成要素を示す情報と関連付けて前記記憶部に記憶するアクション受付部と、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するアクションコンテンツ情報生成部と、
前記複数の端末の少なくとも一部に前記アクションニュースフィードを配信するアクションコンテンツ情報配信部と、
端末を介して入力された投稿を受け付け、前記記憶部に記憶する投稿受付部と、
前記記憶部に記憶された投稿に基づいて、前記投稿を含む投稿コンテンツを表示するための投稿ニュースフィードを生成する投稿コンテンツ生成部と
前記複数の端末の少なくとも一部に前記投稿ニュースフィードを配信する投稿コンテンツ情報配信部と、
を備えるソーシャルネットワーキングサービス提供サーバ。
【請求項１０】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記第１のユーザにより端末を介して入力された、前記ゴールに関連するアクションを示す情報を、前記アクションを示す情報が画像情報及びテキスト情報を含んでいることを条件として受け付け、前記ゴールを示す情報と関連付けて前記記憶部に記憶するステップと、
前記第１のユーザにより端末を介して入力された、前記ゴールに関連するアクション、該アクションに関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、及び前記ゴールに関連する前記アクションを示す情報に基づいて、アクション毎に生成するステップと、  前記複数の端末の少なくとも一部に前記アクションニュースフィードを配信するステップと、
配信された前記アクションニュースフィードに基づいて、前記端末の表示画面上に、アクションコンテンツを表示するステップと、
端末を介して入力された投稿情報を受け付け、前記記憶部に記憶するステップと、
前記記憶部に記憶された投稿情報に基づいて、前記投稿情報を含む投稿コンテンツを表示するための投稿ニュースフィードを生成するステップと
前記複数の端末の少なくとも一部に前記投稿ニュースフィードを配信するステップと、  配信された前記投稿表示情報に基づいて、前記端末の表示画面のニュースフィード表示領域に、投稿コンテンツを表示するステップと、
を含むソーシャルネットワーキングサービス提供方法。
【請求項１１】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力された、前記ゴールに関連するアクションを示す情報を、前記第１のユーザの場合と同様に受け付け可能とするステップを更に含む請求項１０に記載のソーシャルネットワーキングサービス提供方法。
【請求項１２】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記ゴールに関連する達成要素を示す情報を受け付け、前記ゴールを示す情報と対応付けて前記記憶部に記憶するステップと、
前記第１のユーザにより端末を介して入力された、前記達成要素に関連するアクションを示す情報を、前記アクションを示す情報が画像情報及びテキスト情報を含んでいることを条件として受け付け、前記達成要素を示す情報と関連付けて前記記憶部に記憶するステップと、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するステップと、  前記複数の端末の少なくとも一部に前記アクションニュースフィードを配信するステップと、
配信された前記アクションニュースフィードに基づいて、前記端末の表示画面のニュースフィード表示領域に、アクションコンテンツを表示するステップと、
端末を介して入力された投稿情報を受け付け、前記記憶部に記憶するステップと、
前記記憶部に記憶された投稿情報に基づいて、前記投稿情報を含む投稿コンテンツを表示するための投稿ニュースフィードを生成するステップと
前記複数の端末の少なくとも一部に前記投稿ニュースフィードを配信するステップと、  配信された前記投稿表示情報に基づいて、前記端末の表示画面のニュースフィード表示領域に、投稿コンテンツを表示するステップと、
を含むソーシャルネットワーキングサービス提供方法。
【請求項１３】
前記第１のユーザ以外の第２のユーザにより端末を介して入力された、前記ゴールに対する参加要求を受け付け、前記ゴールを示す情報と前記第２のユーザの識別情報を対応付けて記憶部に記憶すると共に、前記第２のユーザにより端末を介して入力された、前記ゴールに関連する達成要素を示す情報及び該達成要素に関連するアクションを示す情報を、前記第１のユーザの場合と同様に受け付け可能とするステップを更に含む請求項１２に記載のソーシャルネットワーキングサービス提供方法。
【請求項１４】
コーチユーザにより端末を介して入力された、前記ゴールを評価対象とするか否かについての情報を受け付け、前記ゴールと対応付けて前記記憶部に記憶するステップを更に含む請求項１０〜１３のいずれか１項に記載のソーシャルネットワーキングサービス提供方法。
【請求項１５】
評価対象とされた前記ゴールに対して、前記ゴールを目標とする前記第１のユーザにより入力された自己評価情報を受け付け、前記ゴールを目標とする前記第１のユーザの識別情報と対応付けて前記記憶部に記憶するステップと、
その後、評価者ユーザにより入力された前記第１のユーザに対する評価情報を受け付け、前記ゴールを目標とする前記第１のユーザの識別情報と対応付けて前記記憶部に記憶するステップと、
を更に含む請求項１４に記載のソーシャルネットワーキングサービス提供方法。
【請求項１６】
端末からの要求に応じて、前記記憶部に記憶された前記達成要素及び前記アクションを示す情報を、該端末に表示するステップを更に含む請求項１０〜１５のいずれか１項に記載のソーシャルネットワーキングサービス提供方法。
【請求項１７】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記第１のユーザにより端末を介して入力された、前記ゴールに関連するアクションを示す情報を、前記アクションを示す情報が画像情報及びテキスト情報を含んでいることを条件として受け付け、前記ゴールを示す情報と関連付けて前記記憶部に記憶するステップと、
前記第１のユーザにより端末を介して入力された、前記ゴールに関連するアクション、該アクションに関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、及び前記ゴールに関連する前記アクションを示す情報に基づいて、アクション毎に生成するステップと、  前記複数の端末の少なくとも一部に前記アクションニュースフィードを配信するステップと、
端末を介して入力された投稿情報を受け付け、前記記憶部に記憶するステップと、
前記記憶部に記憶された投稿情報に基づいて、前記投稿情報を含む投稿コンテンツを表示するための投稿ニュースフィードを生成するステップと
前記複数の端末の少なくとも一部に前記投稿ニュースフィードを配信するステップと、を含むソーシャルネットワーキングサービス提供方法。
【請求項１８】
コンピュータによって実行される、複数の端末により利用されるソーシャルネットワーキングサービス提供方法であって、
ゴールを示す情報と前記ゴールを目標とする第１のユーザの識別情報を受け付け、前記ゴールを示す情報と前記ゴールを目標とする前記第１のユーザの識別情報を対応付けて、前記第１のユーザ識別情報と前記第１のユーザの名前が異なる場合に前記第１のユーザの識別情報と前記第１のユーザの名前が対応付けられて記憶されている記憶部に記憶するステップと、
前記ゴールに関連する達成要素を示す情報を受け付け、前記ゴールを示す情報と対応付けて前記記憶部に記憶するステップと、
前記第１のユーザにより端末を介して入力された、前記達成要素に関連するアクションを示す情報を、前記アクションを示す情報が画像情報及びテキスト情報を含んでいることを条件として受け付け、前記達成要素を示す情報と関連付けて前記記憶部に記憶するステップと、
前記第１のユーザにより端末を介して入力された、前記達成要素に関連するアクション、該アクションに関連する前記達成要素、該達成要素に関連する前記ゴール、及び前記第１のユーザの名前を含むアクションコンテンツを表示するためのアクションニュースフィードを、前記記憶部に記憶された前記ゴールを示す情報、前記ゴールを目標とする前記第１のユーザの識別情報、前記ゴールに関連する前記達成要素を示す情報、及び前記達成要素に関連する前記アクションを示す情報に基づいて、アクション毎に生成するステップと、  前記複数の端末の少なくとも一部に前記アクションニュースフィードを配信するステップと、
端末を介して入力された投稿情報を受け付け、前記記憶部に記憶するステップと、
前記記憶部に記憶された投稿情報に基づいて、前記投稿情報を含む投稿コンテンツを表示するための投稿ニュースフィードを生成するステップと
前記複数の端末の少なくとも一部に前記投稿ニュースフィードを配信するステップと、を含むソーシャルネットワーキングサービス提供方法。
【請求項１９】
請求項１０〜１８のいずれか１項に記載の方法をコンピュータに実行させるためのプログラム。
【請求項２０】
請求項１９に記載のプログラムを記録した記録媒体。